(57)【要約】【課題】無線情報提供サービス、特に、時間依存データからの無線実時間データマイニング及びそこから導出された時間依存データの個人又はグループへの配信に関する技術を提供する。【解決手段】システム及び方法は、無線クライアントからデータをマイニングし、かつ収集されたこの個々の又は累積されたデータを同じセグメントのクライアントに関連のある情報に変換する。システムは、サービスに加入している何人かの無線クライアントと、関連情報を収集し、分析し、かつ加入クライアントにそれを返送するサーバ機構とを含む。非加入者もデータを送信して情報を受信することができる。クライアントは、サーバと通信するためにモバイル無線電話を使用する。本方法は、データのライフサイクルと、ユーザ体験に有意である重要なトリガ機構とを管理する段階を含む。【選択図】図１
2009524984.tif 000002
【特許請求の範囲】
【請求項１】
特定の進行中のイベントに接近するか又は関わっている１つ又はそれよりも多くのモバイル送信する無線クライアントから実時間ソースデータを取得する段階と、
前記１つ又はそれよりも多くのモバイル送信する無線クライアントから取得した前記実時間ソースデータを処理して、前記進行中イベントに関連する有用な情報を生成する段階と、
前記有用な情報を、前記進行中イベントに関する決定を行うのに使用する１つ又はそれよりも多くのモバイル受信する無線クライアントに送信する段階と、
を含むことを特徴とする方法。
【請求項２】
前記１つ又はそれよりも多くのモバイル送信する無線クライアント及び前記１つ又はそれよりも多くのモバイル受信する無線クライアントは、共通のグループのクライアントに属していることを特徴とする請求項１に記載の方法。
【請求項３】
前記共通のグループのクライアントは、サービスの加入者であることを特徴とする請求項２に記載の方法。
【請求項４】
前記ソースデータ及び有用な情報は、時間依存性であることを特徴とする請求項１に記載の方法。
【請求項５】
前記ソースデータ及び有用な情報の値は、時間に反比例することを特徴とする請求項４に記載の方法。
【請求項６】
前記１つ又はそれよりも多くのモバイル送信する無線クライアント及び前記１つ又はそれよりも多くのモバイル受信する無線クライアントは、モバイル無線電話を使用して、それぞれ、ソースデータを送信し、かつ有用な情報を受信することを特徴とする請求項１に記載の方法。
【請求項７】
前記１つ又はそれよりも多くのモバイル送信する無線クライアントの各々は、ソースデータを該ソースデータが所定の閾値に達した時に送信することを特徴とする請求項６に記載の方法。
【請求項８】
関連の機能デバイスを、該機能デバイスがある一定の予めプログラムされた閾値に適合した時にソースデータをアップロードするために、各モバイル送信するクライアントに提供する段階を更に含むことを特徴とする請求項１に記載の方法。
【請求項９】
前記イベントに予め関連付けられた着呼情報を各モバイル送信するクライアントに提供する段階を更に含むことを特徴とする請求項１に記載の方法。
【請求項１０】
前記ソースデータを処理する段階は、該ソースデータがそのままで有用であるか、又は計算する段階、選別する段階、又は他のデータと組み合わせる段階の少なくとも１つによって更に処理する必要があるかを判断する段階を含むことを特徴とする請求項１に記載の方法。
【請求項１１】
前記ソースデータは、交通状態又は列に並ぶ待ち時間に関連することを特徴とする請求項１に記載の方法。
【請求項１２】
ソースデータを取得する段階は、ソースデータ、クライアント情報、及びサーバへの要求情報のうちの少なくとも１つを含むデータをアップロードする段階を含み、
前記ソースデータを処理する段階は、
前記アップロードされたデータを構文解析する段階と、
あらゆるソースデータ又はクライアント情報をデータベースに記憶する段階と、
あらゆる要求情報を処理する段階と、
要求情報に応答して、記憶されたソースデータ及びクライアント情報から有用な情報を生成する段階と、
を含む、
ことを特徴とする請求項１に記載の方法。
【請求項１３】
前記有用な情報を送信する段階は、最初の要求セッション中に又は異なる要求セッションでのコールバック中に該情報を返信する段階を含むことを特徴とする請求項１２に記載の方法。
【請求項１４】
１つ又はそれよりも多くが特定の進行中のイベントに関する実時間ソースデータを送信するように構成された複数のモバイル無線クライアントと、
前記１つ又はそれよりも多くのクライアントから送信された前記ソースデータを受信し、該ソースデータを処理して前記進行中イベントに関連する有用な情報を生成し、かつ該進行中イベントに関する決定を行うのに使用する１つ又はそれよりも多くのモバイル無線クライアントに該有用な情報を送信するように構成されたサーバと、
を含むことを特徴とする装置。
【請求項１５】
少なくとも１つのモバイル無線クライアントは、モバイル無線電話を含むことを特徴とする請求項１４に記載の装置。
【請求項１６】
前記サーバは、
ウェブサーバ、アプリケーションサーバ、及びデータベースと、
前記ウェブサーバ、アプリケーションサーバ、及びデータベースを接続するバスと、
前記ウェブサーバを前記無線クライアントと通信させるために該ウェブサーバに接続したモデムと、
を含む、
ことを特徴とする請求項１５に記載の装置。
【請求項１７】
前記サーバにソースデータを送信するように構成された各モバイル無線クライアントに関連した機能デバイスを更に含むことを特徴とする請求項１４に記載の装置。
【請求項１８】
前記機能デバイスは、ソースデータを該ソースデータがある一定の予めプログラムされた閾値に達した時に前記サーバにアップロードするように構成されていることを特徴とする請求項１７に記載の装置。
【請求項１９】
前記機能デバイスは、ＧＰＳデバイスを含むことを特徴とする請求項１７に記載の装置。
【請求項２０】
特定の進行中のイベントに接近するか又は関わっている１つ又はそれよりも多くのモバイル送信する無線クライアントから実時間ソースデータを取得するための手段と、
前記１つ又はそれよりも多くのモバイル送信する無線クライアントから取得した前記実時間ソースデータを処理して、前記進行中イベントに関連する有用な情報を生成するための手段と、
前記有用な情報を、前記進行中イベントに関する決定を行うのに使用する１つ又はそれよりも多くのモバイル受信する無線クライアントに送信するための手段と、
を含むことを特徴とする装置。
【発明の詳細な説明】
【技術分野】
【０００１】
関連出願への相互参照
本出願は、本明細書においてその全内容が引用により組み込まれている２００６年１月２４日出願の米国特許仮出願出願番号第６０／７６１、５０８号に対する優先権を請求する、本明細書においてその全内容が引用により組み込まれている２００６年５月２６日出願の米国特許非仮出願出願番号第１１／４４２、００６号に対する優先権を請求するものである。
【０００２】
連邦政府補助研究又は開発に関する説明
該当せず
【０００３】
コンパクトディスク上で提出される資料の引用による組み込み
該当せず
【０００４】
著作権保護を受ける資料の呈示
本特許文書の内容の一部分は、米国及び他国の著作権法の下での著作権保護を受ける。著作権の所有者は、特許文献が、米国特許商標庁が公開する入手可能なファイル又は記録に現れる場合、本特許文書又は特許開示の何人による複製に対しても異議を唱えるものではないが、それ以外は全ての著作権を完全に保有する。著作権所有者は、限定はしないが「３７  Ｃ．Ｆ．Ｒ§１．１４」に準ずるその権利を含む、本特許文書を秘密に維持させるその権利のいかなるものもここに放棄しないものである。
【０００５】
発明の分野
本発明は、一般的に無線情報提供サービスに関連し、より詳細には、時間依存データからの無線実時間データマイニング及びそこから導出された時間依存データの個人又はグループへの配信に関する。
【背景技術】
【０００６】
今日、多数の無線ユーザは、情報提供サービスを受けており、その製作者は、一個人、一群の人々、又は会社を占めている。この情報のタイミングはまた、一連の遅延によって隠されている。利用されていないものは、大衆が多くの重要なイベントに日々個人的に参加する時の各及び全ての瞬間に大衆自身によって作成されているデータである。携帯電話が大衆に広く普及しているので、個々に又は累積的に分析された時に多数の無線ユーザに重要情報を提供することができると考えられるこのデータを結集させることが望ましいと考えられる。
【０００７】
例えば、車内の運転者から車両速度及び位置座標を入手することは、有用であると考えられる。このデータが多くの運転者から累積的に分析される場合、交通渋滞のパターンをはっきりさせることができる。情報は、個々の運転者にそれぞれの位置に応じて返送することができるであろう。勿論、情報は、この交通条件が存在する時間枠に受信される場合にのみ価値があると考えられる。このようなサービスに付属のデバイスは、次に、移動時の効率を得るために新しいルートの発見に携わることができるであろう。
【０００８】
別のシナリオでは、会社にとって待ち時間情報を提供することによりその顧客により良いサービスを提供することは有利であろう。例えば、顧客が航空会社のチケット待ち行列に並ぶ時、顧客がチケットカウンタに達するまでに要する時間に関する情報を収集することは有用であると考えられる。この情報は、次に、入ってくる顧客に提供され、顧客は、必要な時間の割り振りを計画することができ、及び／又はこの情報は、チケットカウンタを開けるか又は閉める決定を下す航空会社の管理者によって利用することができるであろう。ここでもまた、情報のタイミングは、その価値に対して極めて重要である。
【０００９】
これらのシナリオ間の共通点は、データを情報源から収集する必要性である。これは、データ源を一般の無線ユーザとすることができるので、実行可能になっている。ユーザは、サービスに関連する必要な機器を備えた特定のサービスの加入者とすることができ、又はユーザは、単に会社の顧客であり、偶然に無線ユーザであるとすることができるであろう。今日、この独特なデータ源は、全く利用されていない。
【００１０】
従って、携帯電話を使用して大衆に浸透し、大衆から実時間データを結集又は収集し、データを個々に又は累積的に分析し、かつこれに基づく時間依存の重要情報を多数の無線ユーザに供給するシステムを提供することが望ましい。
【００１１】
【特許文献１】米国特許仮出願出願番号第６０／７６１、５０８号
【特許文献２】米国特許非仮出願出願番号第１１／４４２、００６号
【発明の開示】
【００１２】
従って、本発明の態様は、特定の進行中のイベントに接近しているか又は関わっている１つ又はそれよりも多くのモバイル送信する無線クライアントから実時間ソースデータを取得し、１つ又はそれよりも多くのモバイル送信する無線クライアントから得られた実時間ソースデータを処理して進行中のイベントに関連した有用な情報を生成し、かつこの有用な情報を、進行中イベントに関する決定を行うのに使用する１つ又はそれよりも多くのモバイル受信する無線クライアントに送信する方法である。
【００１３】
本発明の別の態様は、１つ又はそれよりも多くが特定の進行中のイベントに関する実時間ソースデータを送信するように構成された複数のモバイル無線クライアントと、１つ又はそれよりも多くのクライアントによって送信されたソースデータを受信し、ソースデータを処理して進行中のイベントに関連する有用な情報を生成し、かつ進行中のイベントに関する決定を行うのに使用するために１つ又はそれよりも多くのモバイル無線クライアントに有用な情報を送信するように構成されたサーバとを含む装置である。
【００１４】
本発明の更に別の態様は、特定の進行中のイベントに接近しているか又は関わっている１つ又はそれよりも多くのモバイル送信する無線クライアントから実時間ソースデータを取得するための手段と、１つ又はそれよりも多くのモバイル送信する無線クライアントから得られた実時間ソースデータを処理して、進行中のイベントに関連した有用な情報を生成するための手段と、進行中のイベントに関する決定を行うのに使用するために１つ又はそれよりも多くのモバイル送信する無線クライアントに有用な情報を送信するための手段とを含む装置である。
【００１５】
本発明の他の態様は、多数の無線ユーザからのデータの調達、マイニング、及び配信に使用される方法及び装置である。一実施形態では、配布される情報は、提供されるサービスに固有であることになる。本方法は、使用するデータのライフサイクルを通じて情報の価値が時間の関数であることを保証する。時間の経過に伴い、データの価値は重要性が低減する。このサービスは、データの価値という意味で時間に反比例するデータを利用する。
【００１６】
一実施形態では、トリガ機構は、それらが顧客に使用の容易性態様を提供するので、システムの不可欠な部分を形成する。しかし、トリガ機構は、サービスの種類に固有である。従って、本発明は、トリガ機構として閾値の方法を含む。デバイスがいずれかの所定の基準に基づいてデータを要求する発呼を開始するようにプログラムされている場合はいつも、それは、閾値が定められて使用されていることを意味すると考えられる。
【００１７】
一実施形態では、システム全体の構成要素は、サーバインフラストラクチャ、モバイルクライアント、サービスの特定のアプリケーション、及びあらゆる（任意的な）付属の専用デバイスを含む。携帯電話は、必要な情報を顧客に対して直接に、又は顧客のための適切なソリューションを計算することができる専用デバイスに対して提供することになる。本方法の中核部は、ソースデータがクライアントから、特にモバイル機器から、又はそれに付随の専用デバイスから来るということである。サーバ側は、単一のクライアント又は複数のクライアントのデータソースから情報を引き出すように設計されて実行されるアプリケーションを有する。データが導出された状態で、それは、ブロードキャストに対して又はクライアントからの要求ベースで利用可能である。データは、実時間で又は時間がデータの価値に影響を及ぼさない限り僅かに時間的に推移して放出される。
【００１８】
本発明の更に別の態様は、本明細書の以下の部分で明らかにすることになるが、詳細説明は、本発明の好ましい実施形態をそれに制限を課することなく完全に開示する目的のためのものである。
【００１９】
本発明は、例示目的のみのための以下の図面を参照することにより更に完全に理解されるであろう。
【発明を実施するための最良の形態】
【００２０】
より具体的に図面を参照すると、例示的目的で、本発明は、一般的に図１から図８に示されている方法及び装置に具現化される。本明細書に開示する基本概念を逸脱することなく、装置は、構成に関して及び部品の詳細に関して変更することができ、方法は、特定の実施に関して変更することができることは認められるであろう。
【００２１】
本発明は、人々が時間及び業務の日々の管理の効率を増すことができるように、人々に無線情報提供サービスを配信することに関する。本発明は、特に個人又はグループに、彼らの現在のシナリオに応じて時間依存のデータを配信するためのシステム及び方法を提供する。本発明は、人々が参加する多くのイベントから関連するデータをマイニングし、同じイベントに向う可能性がある他のユーザや業者に対して効率に関連する情報を提供して、サービス、時間、及び金銭のために適切な判断を行うことができるようにする。本発明を規模の経済という観点で見た場合、それは、多数のイベントに遭遇する生活を有する大衆に対して必須の要件になる。次に、こうして得られた全体の集合的効率は、国全体の総国民生産に確実に影響を及ぼすことが可能であろう。
【００２２】
システムは、非常に大きな集団のクライアントからデータを受信するように設定される。図１は、本発明のサーバ−モバイルクライアントシステム１０を一般的に示している。システム１０は、サーバ１２及び複数のモバイルクライアント１４（Ｃ−１、Ｃ−２、・・・Ｃ−Ｎ）を含む。モバイルクライアント１４は、無線デバイスユーザであり、サーバ１２と無線通信する。あらゆる無線データ通信装置を使用することができ、音声通信を必要としない。
【００２３】
クライアントからソースデータを収集する場合、本発明のシステムは、（ａ）サービスに加入している１組のクライアントからのデータのみを受け入れるため、（ｂ）あらゆるユーザがアップロードすることを可能にするため、又は（ｃ）（ａ）及び（ｂ）のあらゆる組合せに対して設定することができる。ユーザがデータをアップロードすることを可能にすることにより、データが実時間で採集されて返送されるような高い品質を保証するであろう。図２に示すように、サーバ１２は、加入者１６及びあらゆるユーザ１８からデータを受信することができる。
【００２４】
情報源から収集されたデータは、ａ）何のデータ計算又は選別もされていない直接値のもの、ｂ）いずれかの値を採る前に他のクライアントからのデータと組み合わされる必要があるもの、及びｃ）ａ）及びｂ）のあらゆる組合せとすることができる。図３は、ソースデータ２０を処理する方法を示している。サーバがクライアントから受信するソースデータ２０は、データの種類毎に適切な基準を使用して、段階２２で、データがそのままで価値があるかを判断するために検査される。データがそのままでは価値がない場合、段階２４で、計算がそのデータについて実行され、又は選別され、又は他のデータと組み合わされて、有用な情報を提供する。次に、段階２６で、情報はユーザに利用可能になる。
【００２５】
サーバは、ａ）クライアントから提供される固有のソースデータ、ｂ）クライアントのプロフィール属性、及び／又はｃ）位置に基づく情報を受信するように設定される。図４は、サーバがクライアントから受信してマイニングされたデータ３０が、３つの異なる種類、すなわち、クライアントのソースデータ３２、クライアントプロフィールデータ３４、及びクライアントの位置情報３６から成ることを示している。あらゆる必要な計算及び統計的分析と関連した受信データのあらゆる組合せを使用することにより、データは、直ちに情報に変換され、クライアントに再分配することができる。
【００２６】
図５に示すように、サーバ（ホスト）システム４０は、アプリケーションサーバ４２、データ記憶ユニット４４、及びウェブサーバ４６から成り、これらは、バス４８で接続されている。ウェブサーバ４６は、システムに対するウェブサービスを作動させると共に、アプリケーションサーバ４２は、データ分析のためのソフトウエアのような他の機能を作動させる。モデム５０は、ウェブサーバ４６に接続され、サーバシステム４０とクライアントの間の無線通信を可能にする。複数のアンテナ５２は、クライアントへ信号を送信し、かつクライアントからの信号を受信するための使用に供せられる。モデム５０は、ウェブサーバ４６が携帯電話５４、５６のような複数の無線（ユーザ）クライアントと通信することを可能にする。これらの構成要素は、それ自体当業者に公知であり、これ以上説明しない。図示の個々の構成は、例示の目的のみのためであり、必要な機能を実行して本発明を実施することができるあらゆる構成を使用することができる。
【００２７】
本発明の利用例は、通行量をモニタし、正に現在の渋滞について車に助言することである。図５では、ＧＰＳシステム５８が、車６０及び携帯電話５４に装着されている。それは、現在では、車両速度及び位置情報をサーバシステム４０にアップロードする機能を有する。サーバシステム４０は、これに対して、車が向うルート上の交通渋滞に関する現況情報を返送する。次に、ＧＰＳシステム５８は、この情報を地図上で使用して代替ルートを描き出す。何百何千の車が同じことを行い始めた場合、交通は、道路システムを通じて最適な方法で流れ始める。
【００２８】
図５はまた、携帯電話５６が、表示板６２に掲載されている番号に電話することができる別のシナリオを示している。このシナリオの実施例は、航空会社のチケットカウンタの待ち行列に並ぶことである。ユーザは、並んだ時に、付与された番号に電話することができる。サーバは、タイムスタンプ及び発呼者の電話番号を記録する。ユーザは、カウンタに到達した時、自分の電話番号を担当者に知らせ、従って、担当者は、個々のチケットカウンタでの待ち時間を実時間で知るであろう。別のシナリオは、テーマパークで提供される。乗車券を買い、番号を電話し、乗車券からコードを入力する。乗車の順序が来た時、顧客は呼び出されることになる。テーマパークに対する別のシナリオは、道路交通に対して使用される方式のように歩行者通行をモニタすることである。このシナリオは、別の乗車の待ち時間に関する情報を顧客に提供し、顧客を次の冒険へ最適にルート指定することになる。
【００２９】
図６は、このようなサービスで使用される方法を例示している。段階７０において、クライアントは、サーバに電話し、以下のデータのあらゆる組合せをアップロードする：（Ａ）サービス種類に応じたソースデータ、（Ｂ）クライアント情報又は電話番号、位置、タイムスタンプのようなクライアント自身の情報、及び（Ｃ）サービスからのいずれかの情報に対する要求。サーバは、段階７２で要求を受け入れ、段階７４で、（ａ）ソースデータ及びクライアント情報又は（ｂ）要求に受信データを構文解析する。ソースデータ／クライアント情報は、段階７６でデータベースに記憶される。全てのクライアント要求は、段階７８で評価されて処理される。
【００３０】
段階８０において、サービスに関連したアプリケーションは、段階７６からのデータを使用して、価値のある情報を生成する。段階８０を起動するためのトリガは、段階７８におけるクライアントの処理された要求である。クライアントに関連した情報は、段階８２において適切にパッケージ化されて送出される。段階８４は、クライアントによる最初の要求が継続中であるか否かを判断する。最初の要求が継続中である場合、データは、アップロード要求のセッション内に返送される。そうでない場合、段階８４は、別のセッションでコールバックし、要求されたデータを返送することになる。
【００３１】
本発明は、限定ではないが以下の特徴を含むことができる。
【００３２】
１．クライアントに提供されるデータはまた、同じセグメント又はグループのクライアントから調達される。言い換えれば、ソースデータを提供するクライアントも、それらのデータの顧客である。
【００３３】
２．クライアントから提供されたデータは、処理されて、情報は、情報の価値が失われない長さの時間内に顧客に中継して戻される。例えば、データは、ある一定の時間スケールに対して待ち行列に入れられるであろう。分の時間スケールが選択されている場合、１分毎のマイニングされたデータのエントリがある。情報に対する要求が処理された時、最後の１分からの最新のデータが送信される。時間スケールは、対象とされる状況の性質に応じて動的に管理することができる。例えば、航空機のチケットカウンタの列に応答している場合、１０分間の時間スケールは、飛行の３時間前には使用されるが、時間が出発に近くなる際には低減されるであろう。
【００３４】
３．モバイルユニットに装着される専用装置は、専用装置が、ある一定の予めプログラムされた閾値に適合した時に情報のアップロードを開始するために使用される。例えば、交通混雑をモニタすることに関連する場合、時速４０マイルの速度を超えて走行する車両は、何のデータもアップロードする必要がない。これらの閾値は、データ内のノイズを低減し、システムの健全さを維持するために使用される。
【００３５】
４．モバイルクライアントは、ソースデータをアップロードする間にあらゆる要求パラメータを伝えることになる。例えば、車両の速度のアップロードに参加している間の加入者は、目的地に至る複数のルート上の速度情報を要求する可能性がある。
【００３６】
５．モバイルクライアントは、イベントに予め関連付けられた着呼情報を備えている。例えば、航空便予約を有する場合、自分に情報を提供してくれるように（例えば、自分の飛行の２時間前から開始して１０分毎に、並んでいるセキュリティ検査について自分に知らせるように）、システムの税関警告ポイントに送信することができる。
【００３７】
６．顧客は、ソースデータを入力するために使用することができるいずれかの専用モバイル装置を装備している。このようなモバイル装置は、通常、有線又は無線のデータ通信装置であると考えられる。
【００３８】
７．選別された情報が、位置、目的地、時間、及び移動方向に基づいてクライアントに提供される。
【００３９】
閾値に達した時のクライアントからサーバへの情報のアップロード処理を図７及び図８に示している。図７は、段階９０で、データをクライアントが収集する方法を示している。データは、段階９２で、閾値に達しているか否かを調べるために検査される。データが閾値に達していない場合、クライアントは、段階９０で、データ収集を継続する。データが閾値に達している場合、クライアントは、段階９４で、データをサーバにアップロードする。図８は、クライアントのデータ収集デバイス１００を含む関連の装置を示している。データ収集デバイス１００からのデータは、クライアントの機能デバイス１０２のデータ記憶デバイス１０４に入力される。機能デバイス内のプロセッサ１０６は、データ記憶デバイス１０４からのデータを処理し、これを予めプログラムされた閾値１０８と比較する。データが閾値に達した時、データは、プロセッサ１０６からデータをサーバ１１２に送信する無線デバイス１１０に出力される。
【００４０】
従って、本発明は、携帯電話を使用して、大衆に浸透し、データをこれらから結集又は収集し、かつデータを個々に又は累積的に分析した後で多数の無線ユーザに重要情報を提供するシステムを提供する。システムは、携帯電話ユーザからデータを収集し、かつ携帯電話ユーザにこのデータに基づく情報を配信する双方向システムである。データ及び情報は、一般的に時間依存性であり、処理は、情報の価値のある時間枠内で作業する。
【００４１】
１つの例示的な用途では、システムは、現在の交通情報を提供するために使用される。車での移動中、無線ユーザは、車両速度及び位置座標をアップロードする。このデータが全ての加入者から累積的に分析された時、ユーザの位置に応じて交通渋滞のパターンが解読され、個々の無線ユーザに返送される。このようなサービスに付随のデバイスは、移動時間の効率を得るための新しいルートを見出すことに関わることができる。
【００４２】
別の用途では、会社は、待ち時間に関する情報を収集し、かつ提供することにより、顧客をより良く満足させるためにこのサービスシステムを利用する。例えば、顧客が航空会社のチケット待ち行列に入る時、表示板は、ユーザがＳＭＳメッセージを送信することができる電話番号を表示する。顧客がチケットカウンタに到着した時、係員は、ユーザの電話番号を聞き、これをコンピュータに入力することができる。モバイルユーザと通信するサーバシステム、並びに係員のコンピュータは、顧客がチケットカウンタの到達するまでに掛かった時間を計算することができる。この時点で、情報は、必要な時間の割り振りを計画することができる来客にブロードキャストすることができ、及び／又は情報は、チケットカウンタを開くか又は閉じる判断を行うために航空会社の運営に使用することができる。同様に、システムは、待ち時間や予約時間に関する情報を入手又は提供するためにテーマパークで使用することができると考えられる。
【００４３】
全てのこれらの用途間の共通点は、データソースが一般の無線ユーザであることである。１つの場合では、ユーザは、サービスに関連する必要な機器を備えた特定のサービスの加入者である。別の場合には、ユーザは、単に会社の顧客であり、偶然に無線ユーザである。本発明は、この独特なデータソースを利用する方法を提供する。
【００４４】
以上の説明は、多くの詳細を含むが、これらは、本発明の範囲を限定するものとして解釈されるべきではなく、単に本発明の現時点の好ましい実施形態の例示を提供するものと解釈されるべきである。従って、本発明の範囲は、当業者に明白になると考えられる他の実施形態を完全に包含すること、及び単数形での要素の参照が、明示的に示されない限り「１つかつ１つのみ」を意味することを意図せず、むしろ「１つ又はそれよりも多く」である特許請求の範囲を除き、本発明の範囲が何ものにも制限されないことが認められるであろう。当業者に公知の上述の好ましい実施形態の要素に対する全ての構造的かつ機能的均等物は、明示的に参照により本明細書に組み込まれ、かつ特許請求の範囲によって包含されることを意図している。更に、デバイスは、それが本発明の特許請求の範囲によって包含されるために本発明による解決を求める各及び全ての問題に対処することは必要ではない。更に、本発明の開示におけるいかなる要素又は構成要素も、その要素又は構成要素が特許請求の範囲に明示的に示されているか否かに関わらず、公衆に捧げることを意図したものではない。本明細書の特許請求の範囲のいかなる要素も、その要素が「のための手段」という語句を使用して明示的に示されていない限り、「３５  Ｕ．Ｓ．Ｃ．１１２」の第６段の規定の下で解釈されないものとする。
【図面の簡単な説明】
【００４５】
【図１】本発明のサーバ−モバイルクライアントシステムの実施形態の簡単なブロック図である。
【図２】異なる種類のクライアントがデータを提供する本発明のサーバの実施形態の簡単なブロック図である。
【図３】クライアントから受信したデータを処理する本発明の方法の実施形態の流れ図である。
【図４】収集されたデータの種類の簡単なブロック図である。
【図５】より多くの機能性を引き出すためにシステムに装着することができる専用機器を含む本発明を実行するためのシステムの実施形態を示す図である。
【図６】モバイルクライアントが情報源として対話し、続いてサーバの計算から利益を受ける方法を例示する、本発明のデータフローのライフサイクルの実施形態を示す図である。
【図７】閾値に達した時にクライアントからサーバに情報をアップロードする本発明の方法の実施形態の流れ図である。
【図８】閾値に達した時にクライアントからサーバに情報をアップロードするための本発明の装置の実施形態のブロック図である。
【符号の説明】
【００４６】
１０  サーバ−モバイルクライアントシステム
１２  サーバ
１４  モバイルクライアント
【図１】
2009524984.tif 000003
【図２】
2009524984.tif 000004
【図３】
2009524984.tif 000005
【図４】
2009524984.tif 000006
【図５】
2009524984.tif 000007
【図６】
2009524984.tif 000008
【図７】
2009524984.tif 000009
【図８】
2009524984.tif 000010